(57)【特許請求の範囲】
【請求項１】
排水管内に配置されて、排水中のごみや髪の毛を捕集するヘアーキャッチャーであって、
該ヘアーキャッチャーは、
排水管内の排水の流れ方向に沿って略中央に位置するように形成された軸芯部と、
該軸芯部の上端近傍の外周面から、前記排水管の内壁に向かって下側に傾斜するように延在した円錘状の傾斜壁部と、
前記傾斜壁部の外周下端部から水平方向に延在した環状の水平壁部と、
該水平壁部の外周端部から、上側に向かって、前記排水管の内壁に沿うように延在した環状の外周壁部と、を少なくとも備えており、
前記傾斜壁部には、開口縁が曲線状の複数の第１の排水用孔が形成されており、前記水平壁部には、開口縁が曲線状の複数の第２の排水用孔が形成されていることを特徴とするヘアーキャッチャー。
【請求項２】
前記軸芯部の下端側には、前記排水管の内壁に係止する位置決め用の係止部が形成されており、前記係止部は、前記排水管の内壁と係止した状態で、前記排水管内に向かって傾斜した排水口の傾斜面に沿った延長線が、前記傾斜壁部に交差するような位置に形成されていることを特徴とする請求項１に記載のヘアーキャッチャー。
【請求項３】
前記傾斜壁部の表面積に対する前記複数の第１の排水用孔の開口面積率は、前記水平壁部の表面積に対する前記複数の第２の排水用孔の開口面積率よりも小さいことを特徴とする請求項１または２に記載のヘアーキャッチャー。
【請求項４】
前記第１の排水用孔の前記開口面積率は、４５％〜６５％の範囲にあることを特徴とする請求項３に記載のヘアーキャッチャー。
【請求項５】
前記傾斜壁部と前記水平壁部とを跨ぐように、開口縁が曲線状の複数の第３の排水用孔がさらに形成されていることを特徴とする請求項１〜４のいずれかに記載のヘアーキャッチャー。
【請求項６】
前記第１の排水用孔および第２の排水用孔のいずれか一方または双方が、前記傾斜壁部と前記水平壁部とを跨ぐように形成されていることを特徴とする請求項１〜５のいずれかに記載のヘアーキャッチャー。
【発明の詳細な説明】
【技術分野】
【０００１】
本発明は、毛髪やごみ等を捕集するヘアーキャッチャーに関し、特に、捕集された毛髪やごみ等を好適に清掃することができるヘアーキャッチャーの技術に関する。
【背景技術】
【０００２】
従来から、排水管内を流れる排水中の毛髪やごみ等を捕集するために、ヘアーキャッチャーが利用されている。ヘアーキャッチャーは、例えば、排水管内において排水栓とともに使用されることが多い。このようなヘアーキャッチャーは、洗面化粧台等の排水口から挿入して、排水管内に装着し、排水栓が開いたときに、排水口から排水管内に流れる排水に含まれた毛髪やごみ等を捕集することができる。
【０００３】
たとえば、特許文献１には、軟質材で成形されたヘアーキャッチャーであって、排水管内の排水の流れ方向に沿って略中央に位置するように形成された軸芯部と、該軸芯部から下方向へ略円錐形状に拡がる第１の捕集リブと、第１の捕集リブの先端部から連続的に上方向に延設される第２の捕集リブとからなるＶ字形状のへアーキャッチャーが提案されている。
【０００４】
また、特許文献２には、遠隔操作により排水口が開閉される排水栓装置に備えられ、ネット部を有するヘアーキャッチャーであって、ネット部が放射状に伸びる断面山形状の複数のリブを有し、該リブ間に複数の穴が形成されているヘアーキャッチャーが提案されている。
【先行技術文献】
【特許文献】
【０００５】
【特許文献１】特開２００９−７９３６８号公報
【特許文献２】特開２０１０−３７９２３号公報
【発明の概要】
【発明が解決しようとする課題】
【０００６】
しかしながら、特許文献１に係るヘアーキャッチャーの場合、排水に含まれた毛髪やごみ等が、そのＶ字形状の底部に捕集される。清掃時には、軟質材からなる第２の捕集リブの先端部を下方に向くように変形させて、捕集された毛髪やごみ等をヘアーキャッチャーから取り除かなければならず、その清掃作業は煩雑なものであった。
【０００７】
さらに、特許文献２に係るヘアーキャッチャーの場合、断面山形状の複数のリブを設けることにより、排水に含まれる毛髪がこのリブに引っ掛かり、毛髪を好適に捕集することができる。しかしながら、清掃時には、上述したリブの形状に起因して、リブに引っ掛かった毛髪を、容易に取り除くことができない場合があった。
【０００８】
本発明はこのような点を鑑みてなされたものであり、その目的とするところは、捕集された毛髪やごみを容易に取り除くことができるヘアーキャッチャーを提供することにある。
【課題を解決するための手段】
【０００９】
上述した課題を鑑みて、本発明に係るヘアーキャッチャーは、排水管内に配置されて、排水中のごみや髪の毛を捕集するヘアーキャッチャーであって、該ヘアーキャッチャーは、排水管内の排水の流れ方向に沿って略中央に位置するように形成された軸芯部と、該軸芯部の上端近傍の外周面から、前記排水管の内壁に向かって下側に傾斜するように延在した円錘状の傾斜壁部と、前記傾斜壁部の外周下端部から水平方向に延在した環状の水平壁部と、該水平壁部の外周端部から、上側に向かって、前記排水管の内壁に沿うように延在した環状の外周壁部と、を少なくとも備えており、前記傾斜壁部には、開口縁が曲線状の複数の第１の排水用孔が形成されており、前記水平壁部には、開口縁が曲線状の複数の第２の排水用孔が形成されていることを特徴とする。
【００１０】
本発明によれば、傾斜壁部に、複数の第１の排水用孔を形成し、水平壁部に、複数の第２の排水用孔を形成したので、第１の排水用孔および第２の排水用孔を介して、排水を流すとともに、傾斜壁部および水平壁部で毛髪やごみを捕集することができる。
【００１１】
また、傾斜壁部は、下側に向かって傾斜しているので、傾斜壁部に向かって流れた排水の一部は、第１の排水用孔に流れるとともに、残りの排水は、傾斜壁部から水平壁部に向かって流下し、残りの排水を水平壁部に形成された第２の排水用孔に流すことも可能である。
【００１２】
また、ヘアーキャッチャーの水平壁部を、傾斜壁部の外周下端部から水平方向に延在させたので、清掃時には、作業者は、傾斜壁部、水平壁部、および外周壁部により形成された空間に指を容易に入れるこができ、捕集された毛髪を簡単に取り除くことができる。さらに、第１および第２の排水用孔は、開口縁が曲線状となっているので、第１および第２の排水用孔に引っ掛かった毛髪を容易に取り除くことができる。
【００１３】
なお、本発明でいう開口縁が曲線状とは、円型状、楕円型状、卵型状、または一対の直線と半円を繋いだ長孔形状などを挙げることができ、三角形、矩形、または多角形の如く直線同士が交差しない形状のものをいう。
【００１４】
さらに、好ましい態様としては、前記軸芯部の下端側には、前記排水管の内壁に係止する位置決め用の係止部が形成されており、前記係止部は、前記排水管の内壁と係止した状態で、前記排水管内に向かって傾斜した排水口の傾斜面に沿った延長線が、前記傾斜壁部に交差するような位置に形成されている。
【００１５】
この態様によれば、排水口の傾斜面に沿って流れる水を、ヘアーキャッチャーの傾斜壁部に向かわせることができる。これにより、傾斜壁部に形成された第１の排水用孔に排水の一部を流すとともに、残りの排水を傾斜壁部から水平壁部に流し、水平壁部に形成された第２の排水用孔で排水することができる。このような排水の流れにより、第１および第２の排水用孔にほとんど毛髪がひっかかることなく、排水中に含まれる毛髪が水平壁部および外周壁部の周りに、捕集され易くなる。これにより、第１および第２の排水用孔の排水性を確保するとともに、捕集された毛髪を容易にヘアーキャッチャーから取り除くことができる。
【００１６】
また、ヘアーキャッチャーに形成された第１および第２の排水用孔は、排水を排水することができるとともに、排水中の毛髪を簡単に捕集することができるのであれば、その位置および大きさは、特に限定されるものではない。
【００１７】
しかしながら、より好ましい態様としては、前記傾斜壁部の表面積に対する前記複数の第１の排水用孔の開口面積率は、前記水平壁部の表面積に対する前記複数の第２の排水用孔の開口面積率よりも小さい。
【００１８】
この態様によれば、傾斜壁部の複数の第１の排水用孔の開口面積率を、複数の第２の排水用孔の開口面積率よりも小さくしたので、傾斜壁部から水平壁部に排水が流れ易くなり、この結果、排水中に含まれる毛髪が水平壁部および外周壁部の周りに、捕集され易くなる。
【００１９】
このような態様を前提として、前記第１の排水用孔の前記開口面積率は、４５％〜６５％の範囲にあることがより好ましい。第１の排水用孔の開口面積率をこのような範囲とすることにより、より好適に傾斜壁部から水平壁部に排水を流しやすくすることができる。
【００２０】
ここで、開口面積率が６５％を超えた場合、傾斜壁部において、ほとんどの排水が第１の排水用孔に流れてしまい、第１の排水用孔に毛髪等が引っ掛かりやすくなる場合がある。一方、開口面積率が４５％未満の場合、ほとんどの排水が傾斜壁部にから水平壁部に向かって流れることになる。これにより、水平壁部の第２の排水用孔が、その排水を担うことになるので、ヘアーキャッチャーの排水性が低下するおそれがある。
【００２１】
さらに、好ましい態様としては、前記傾斜壁部と前記水平壁部とを跨ぐように、開口縁が曲線状の複数の第３の排水用孔がさらに形成されている。本発明によれば、第１および第２の排水用孔に加え、第３の排水用孔部を設けることにより、ヘアーキャッチャーの排水性をさらに高めることができる。
【００２２】
別の好ましい態様としては、前記第１の排水用孔および第２の排水用孔のいずれか一方または双方が、前記傾斜壁部と前記水平壁部とを跨ぐように形成されていてもよい。これにより、第１および第２の排水用孔の少なくとも一方が、他方側の部分（傾斜壁面または水平壁部）の排水を担うことができるので、ヘアーキャッチャーの排水性をさらに高めることができる。
【発明の効果】
【００２３】
本発明に係るヘアーキャッチャーによれば、排水中の毛髪やごみを捕集することができるとともに、捕集された毛髪やごみを容易に取り除くことができる。
【図面の簡単な説明】
【００２４】
【図１】本発明の第１実施形態に係るヘアーキャッチャーの模式的斜視図。
【図２】図１に示すヘアーキャッチャーの軸芯方向に沿った断面図。
【図３】図２に示すヘアーキャッチャーの部分拡大断面図。
【図４】図１に示すヘアーキャッチャーの上面図。
【図５】図１に係るヘアーキャッチャーを排水管内に配置した状態を示した模式的断面図。
【図６】図５に示すヘアーキャッチャーと排水口との関係を説明するための断面図。
【図７】図５に示すヘアーキャッチャーにより捕集されたごみおよび毛髪の捕集状態を説明するための断面図。
【図８】本発明の第２実施形態に係るヘアーキャッチャーを説明する図であり、（ａ）は、ヘアーキャッチャーの上面図、（ｂ）は、（ａ）のＡ−Ａ線矢視断面図であり、（ｃ）は、（ａ）のＢ−Ｂ線矢視断面図。
【図９】本発明の第３実施形態に係るヘアーキャッチャーを説明するための図であり、（ａ）は、ヘアーキャッチャーの上面図、（ｂ）は、（ａ）のＣ−Ｃ線矢視断面図。
【図１０】本発明の第４実施形態に係るヘアーキャッチャーを説明するための図であり、（ａ）は、ヘアーキャッチャーの上面図、（ｂ）は、（ａ）のＤ−Ｄ線矢視断面図。
【図１１】本発明の変形例に係るヘアーキャッチャーを説明するための図であり、（ａ）は、第４実施形態にかかるヘアーキャッチャーの変形例を示した上面図、（ｂ）は、第４実施形態にかかるヘアーキャッチャーの変形例を示した上面図、（ｃ）は、第３実施形態にかかるヘアーキャッチャーの変形例を示した上面図、（ｄ）は、その他の変形例にかかるヘアーキャッチャーの変形例を示した上面図。
【発明を実施するための形態】
【００２５】
以下に、図面を参照して、本発明をいくつかの実施形態により説明する。
【００２６】
図１は、本発明の第１実施形態に係るヘアーキャッチャーの模式的斜視図であり、図２は、図１に示すヘアーキャッチャーの軸芯方向に沿った断面図であり、図３は図２に示すヘアーキャッチャーの部分拡大断面図である。図４は、図１に示すヘアーキャッチャーの上面図である。
【００２７】
図１に示すように、本実施形態に係るヘアーキャッチャー１は、排水管内に配置し、排水中に含まれるごみや毛髪を捕集するための樹脂製または金属製の部材であり、排水栓とともに用いられるものである。
【００２８】
具体的には、図１および２に示すように、ヘアーキャッチャー１は、後述する排水管内の排水の流れ方向に沿って略中央に位置するように形成された筒状の軸芯部２と、軸芯部２の上端近傍に形成された捕集部３と、捕集部３よりも軸芯部２の下端側に形成された係止部４とを備えており、これらの部分は一体的に成形されている。軸芯部２の内部には、軸芯方向に沿って挿入孔２１が形成されており、この挿入孔２１に、後述する排水栓５の軸部５２を挿入することにより、ヘアーキャッチャー１を、排水栓５に対して上下方向に摺動させることができる。
【００２９】
図３に示すように、捕集部３は、傾斜壁部３１と、水平壁部３２と、外周壁部３３とから少なくとも構成されている。傾斜壁部３１は、軸芯部２の上端近傍の外周面２２から、排水管の内壁に向かって下側に傾斜するように延在した円錘状の部分である。
【００３０】
傾斜壁部３１の表面は、突起等のない円錐状の表面からなり、この表面には、開口縁が曲線状の複数の第１の排水用孔３１ａ，３１ａ，…が形成されている。具体的には、図４に示すように、第１の排水用孔３１ａは、円形状の開口縁３１ｂが形成されており、各第１の排水用孔３１ａは、軸芯部２の軸芯を中心とした円周線上に沿って、等間隔に形成されている。
【００３１】
水平壁部３２は、傾斜壁部３１の外周下端部３１ｃから水平方向に延在した環状（円盤状）の部分である。水平壁部３２の表面は、突起等のない表面であり、この表面には、開口縁３２ｂが曲線状の複数の第２の排水用孔３２ａ，３２ａ，…が形成されている。具体的には、各第２の排水用孔３２ａは楕円状であり、第２の排水用孔３２ａは、楕円の長軸が、軸芯部２の軸芯ＣＬを中心とした円周線上に沿うように、等間隔に形成されている。
【００３２】
ここで、傾斜壁部３１の表面積に対して、この表面に形成される複数（すべて）の第１の排水用孔３１ａ，３１ａ，…の開口面積率は、水平壁部３２の表面積に対して、この表面に形成される複数（すべて）の第２の排水用孔３２ａ，３２ａ，…の開口面積率よりも小さくなるように、複数の第１の排水用孔３１ａ，３１ａ，…および第２の排水用孔３２ａ，３２ａ，…が形成されている。
【００３３】
さらに、第１の排水用孔３１ａの上述した開口面積率は、４５％〜６５％の範囲にある。このような範囲とすることにより、後述するように、より好適に傾斜壁部３１から水平壁部３２に排水を流しやすくすることができる。
【００３４】
外周壁部３３は、水平壁部３２の外周端部３２ｃから、上側に向かって、排水管の内壁に沿うように延在した環状の部分である。このような形状とすることにより、排水管内の内壁に外周壁部３３の外周面３３ａを対向させることができる。
【００３５】
上述したように、係止部４は、軸芯部２の下端側において、排水管の内壁に係止するための位置決め用の部分である。係止部４には、軸芯部２の外周面２２から放射状に延びた複数のリブ４１，４１，…が形成されており、各リブ４１の先端には、これらを連結するように係止環状部４２が形成されている。係止部４に係止環状部４２を形成することにより、後述する排水管の内壁に形成された係止用凸部に、係止環状部４２を係止させて、排水管内において、ヘアーキャッチャー１の位置決めを行うことができる。なお、係止部４の位置決めの詳細は後述する。
【００３６】
このように構成されたヘアーキャッチャー１を、排水口を介して、排水栓とともに排水管内に配置する。図５は、図１に係るヘアーキャッチャーを排水管内に配置した状態を示した模式的断面図である。図６は、図５に示すヘアーキャッチャーと排水口との関係を説明するための断面図である。図７は、図５に示すヘアーキャッチャにより捕集されたごみおよび毛髪の捕集状態を説明するための断面図である。
【００３７】
図５に示すように、ヘアーキャッチャー１は、排水栓５とともに、排水管６２内に配置される。排水栓５は、排水口６１を封止可能な、円盤状の栓本体５１と、栓本体５１の中心から延在した軸部５２と、軸部５２の下端に接続された錘体５３とを備えている。
【００３８】
ここで、錘体５３は、軸部５２から着脱可能に接続されている。ヘアーキャッチャー１を排水栓５に組み付けるときは、まず、錘体５３を取り外し、ヘアーキャッチャー１の軸芯部２の挿入孔２１に、軸部５２を挿入し、軸部５２を錘体５３に取り付ける。これにより、ヘアーキャッチャー１は、排水栓５に対して上下方向に摺動可能となり、排水栓５とともに、排水管６２内において、排水の流れ方向に沿って略中央に軸芯部２が位置するよう配置することが可能となる。
【００３９】
また、軸部５２の下方には、軸部５２を上方向に押し上げる押し上げ手段（図示せず）が設けられており、この押し上げ手段により、軸部５２を押し上げて、排水栓５を開き、排水管６２内に配水を流すことができる。また、押し上げ手段により押し上げがなされないときは、軸部５２が自重により下方に移動し、これにより、排水栓５を閉じ、排水管６２内に配水が流れるのを防止することができる。
【００４０】
ここで、ヘアーキャッチャー１を構成する係止部４の係止環状部４２は、排水管６２の内壁６３に形成された係止用凸部６３ａと係止した状態で、以下に示すような位置に位置決めされるように形成されている。
【００４１】
具体的には、図６に示すように、係止部４は、排水管６２内に向かって傾斜した排水口６１の傾斜面６１ａに沿った延長線Ｌが、捕集部３の傾斜壁部３１に交差するような位置に形成されている。ここでは、捕集部３に対して、係止部４を形成する上下方向の位置を定めることによって、排水口６１と傾斜壁部３１をこのような配置関係にすることができる。
【００４２】
このようにして、ヘアーキャッチャー１を排水管６２内に配置することにより、以下に示すような効果を期待することができる。まず、傾斜壁部３１は、下側に向かって傾斜しているので、傾斜壁部３１に向かって流れた排水の一部を、第１の排水用孔３１ａで流すとともに、残りの排水を、傾斜壁部３１から水平壁部３２に向かって流下させ、水平壁部３２に形成された第２の排水用孔３２ａに流すことができる。このような排水状態において、傾斜壁部３１および水平壁部３２で毛髪やごみを捕集することができる。
【００４３】
特に、本実施形態では、上述したように排水口６１に対して、上述した位置に、係止部４を設けたので、排水口６１の傾斜面６１ａに沿って流れる排水を、ヘアーキャッチャー１の傾斜壁部３１に向かわせることができる。
【００４４】
これにより、第１の排水用孔３１ａに排水の一部を流すとともに、残りの排水を、傾斜壁部３１から水平壁部３２に向かってより好適に流すことができ、水平壁部３２に形成された第２の排水用孔３２ａに排水をより好適に流すことができる。
【００４５】
このような排水の流れにより、図７に示すように、第１および第２の排水用孔３１ａ，３２ａにほとんど毛髪がひっかかることなく、排水中に含まれる毛髪が水平壁部３２および外周壁部３３の周りに、捕集され易くなる。これにより、第１および第２の排水用孔３１ａ，３２ａの排水性を確保するとともに、捕集された毛髪を容易にヘアーキャッチャー１から取り除くことができる。
【００４６】
図７のようにして、捕集されたごみおよび毛髪は、清掃時には、ヘアーキャッチャー１の水平壁部３２を、傾斜壁部３１の外周下端部３１ｃから水平方向に延在させたので、作業者は、傾斜壁部３１、水平壁部３２、および外周壁部３３により形成された空間に容易に指を入れて、簡単に取り除くことができる。
【００４７】
さらに、第１および第２の排水用孔３１ａ，３２ａは、開口縁が円形および楕円形状の如き曲線状となっているので、第１および第２の排水用孔３１ａ，３２ａに引っ掛かった毛髪を容易に取り除くことができる。
【００４８】
特に、第１の排水用孔３１ａの開口縁を円形にして、軸芯ＣＬを中心とした円周線上に沿うように、等間隔に形成し、さらには、第２の排水用孔３２ａを、楕円の長軸が、軸芯部２の軸芯ＣＬを中心とした円周線上に沿うように、等間隔に形成したので、第２の排水用孔３２ａに排水が流れ込み易くなり、傾斜壁部３１よりも、水平壁部３２と外周壁部３３の周りに、毛髪が捕集され易くなる。
【００４９】
以下に第２〜４実施形態を説明する。第２〜４実施形態に係るヘアーキャッチャーが、第１実施形態のものと相違する点は、排水用孔に位置、大きさ、形状が異なる点であり、これらの実施形態は、ヘアーキャッチャーの排水性の向上を図ったものである。
【００５０】
したがって、その他の構成部分に関しては、その説明を省略する。また、以下の図８〜１１において、第２〜４実施形態のヘアーキャッチャーの第１の排水用孔に相当する排水用孔には、第１実施形態のヘアーキャッチャーと同様に、符号３１ａを付し、同様に、第２の排水用孔には、符号３２ａを付す。また、図８〜１１に示す、円形の２点鎖線は、傾斜壁部と水平壁部との境界線を示しており、傾斜壁部の外周下端部に一致する。
【００５１】
図８は、本発明の第２実施形態に係るヘアーキャッチャーを説明する図であり、（ａ）は、ヘアーキャッチャーの上面図、（ｂ）は、（ａ）のＡ−Ａ線矢視断面図であり、（ｃ）は、（ａ）のＢ−Ｂ線矢視断面図である。
【００５２】
図８（ａ），（ｃ）に示すように、第２実施形態に係るヘアーキャッチャー１Ａは、傾斜壁部３１と水平壁部３２とを跨ぐように、開口縁が楕円形状の複数の第３の排水用孔３６ａ，３６ａ，…がさらに形成されている。
【００５３】
各第３の排水用孔３６ａは、ヘアーキャッチャー１の径方向に長軸が一致するように、第１の排水用孔同士３１ａ、３１ａの間、かつ第２の排水用孔同士３２ａ、３２ａの間に位置するように、形成されている。
【００５４】
このように第３の排水用孔３６ａ，３６ａ，…をさらに形成することにより、ヘアーキャッチャー内の排水用孔の占有率を高め、ヘアーキャッチャー１Ａの排水性をさらに向上させることができる。
【００５５】
図９は、本発明の第３実施形態に係るヘアーキャッチャーを説明するための図であり、（ａ）は、ヘアーキャッチャーの上面図、（ｂ）は、（ａ）のＣ−Ｃ線矢視断面図である。図１０は、本発明の第４実施形態に係るヘアーキャッチャーを説明するための図であり、（ａ）は、ヘアーキャッチャーの上面図、（ｂ）は、（ａ）のＤ−Ｄ線矢視断面図である。
【００５６】
図９に示す第３の実施形態のヘアーキャッチャー１Ｂの如く、第１の排水用孔３１ａが、傾斜壁部３１と水平壁部３２とを跨ぐように形成されていてもよく、図１０に示す第４の実施形態のヘアーキャッチャー１Ｃの如く、第２の排水用孔３２ａが、傾斜壁部３１と水平壁部３２とを跨ぐように形成されていてもよい。
【００５７】
なお、ここで、排水用孔が傾斜壁部と前記水平壁部とを跨ぐ場合、水平壁部よりも傾斜壁部に排水用孔の占有率が、高い排水用孔を第１の排水用孔とし、傾斜壁部よりも水平壁部に排水用孔の占有率が、高い排水用孔を第２の排水用孔としている。
【００５８】
図１１は、本発明の変形例に係るヘアーキャッチャーを説明するための図であり、（ａ）は、第４実施形態にかかるヘアーキャッチャーの変形例を示した上面図、（ｂ）は、第４実施形態にかかるヘアーキャッチャーの変形例を示した上面図、（ｃ）は、第３実施形態にかかるヘアーキャッチャーの変形例を示した上面図、（ｄ）は、その他の変形例にかかるヘアーキャッチャーの変形例を示した上面図である。
【００５９】
また、図１０に示す第４の実施形態のヘアーキャッチャー１Ｃでは、第２の排水用孔は、同じ形状であり、傾斜壁部と水平壁部とを跨ぐように形成したが、図１１（ａ），（ｂ）に示すヘアーキャッチャー１Ｄ，１Ｅの如く、大きさの異なる複数種の種類の第２の排水用孔３２ａのそれぞれを、傾斜壁部３１と水平壁部３２とを跨ぐように形成してもよい。また、図１１（ｂ）のヘアーキャッチャー１Ｅの如く、第１の排水用孔３１ａの開口縁を楕円形状にしてもよい。
【００６０】
また、図９に示す第３の実施形態のヘアーキャッチャー１では、円形状の開口縁を有した第１の排水用孔を、傾斜壁部と水平壁部とを跨ぐように形成したが、図１１（ｃ）に示すヘアーキャッチャー１Ｆの如く、楕円形状の開口縁を有した第１の排水用孔３１ａを、傾斜壁部３１と水平壁部３２とを跨ぐように形成してもよい。
【００６１】
さらに、図１１（ｄ）に示すヘアーキャッチャー１Ｇの如く、第１の排水用孔３１ａおよび第２の排水用孔３２ａの双方が、傾斜壁部３１と水平壁部３２とを跨ぐように形成されていてもよい。
【００６２】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００６３】
本実施形態では、第１の排水用孔および第２の排水用孔の開口縁の形状が、円形状または楕円形状であったが、ごみまたは毛髪を捕集しやすいように、開口縁が曲線状であればよく、たとえば、第１の排水用孔および第２の排水用孔の開口縁の形状が、卵型、半円と直線を繋ぎ合わせた長孔形状などであってもよい。
【符号の説明】
【００６４】
１，１Ａ〜１Ｇ：ヘアーキャッチャー
２：軸芯部、２１：挿入孔、２２：外周面、３：捕集部、３１：傾斜壁部、３１ｂ：開口縁、３１ａ：第１の排水用孔、３１ｃ：外周下端部、３２：水平壁部、３２ａ：第２の排水用孔、３２ｂ：開口縁、３２ｃ：外周端部、３３：外周壁部、３３ａ：外周面、３６ａ：第３の排水用孔、４：係止部、４１：リブ、４２：係止環状部、５：排水栓、５１：栓本体、５２：軸部、５３：錘体、６１：排水口、６１ａ：傾斜面、６２：排水管、６３：内壁、６３ａ：係止用凸部、ＣＬ：軸芯
【図１】
0005848643.tif 000002
【図２】
0005848643.tif 000003
【図３】
0005848643.tif 000004
【図４】
0005848643.tif 000005
【図５】
0005848643.tif 000006
【図６】
0005848643.tif 000007
【図７】
0005848643.tif 000008
【図８】
0005848643.tif 000009
【図９】
0005848643.tif 000010
【図１０】
0005848643.tif 000011
【図１１】
0005848643.tif 000012